(57)【要約】【課題】上面パネルを着脱式とした場合でも、新たな部品等を設けることなく、当該上面パネルの不用意な脱落を防止できる脱落防止機構を提供する。【解決手段】前面グリル１０と、該前面グリルの少なくとも上側を着脱可能に覆う上面パネル２０と、該上面パネル及び前面グリルの前面側を開閉可能に覆うフロントパネル３０とを備えた空気調和機の上面パネルの脱落を防止するための脱落防止機構であって、フロントパネルは、回動アーム３１を介して前面グリルに対し開閉可能に取り付けられ、回動アームに係止部材３５が設けられると共に、上面パネルには係止部材を係合させ得る係合部２１が設けられており、上面パネルは、フロントパネルが閉じられた状態では、係止部材が係合部に係合することによりロックされており、フロントパネルを開くことにより係止部材が係合部から離脱することを特徴とする。【選択図】  図３
2004183980.tif 000002
【特許請求の範囲】
【請求項１】
空気調和機の筐体の一部を構成する前面グリルと、該前面グリルに取り付けられ前面グリルの少なくとも上側を着脱可能に覆う上面パネルと、該上面パネル及び上記前面グリルの前面側を開閉可能に覆うフロントパネルとを備えた空気調和機の上面パネルの脱落を防止するための脱落防止機構であって、
上記フロントパネルは、回動部材を介して上記前面グリルに対し開閉可能に取り付けられ、
上記回動部材に係止部材が設けられると共に、上記上面パネルには上記係止部材を係合させ得る係合部が設けられており、
上記上面パネルは、上記フロントパネルが閉じられた状態では、上記係止部材が上記係合部に係合することによりロックされており、上記フロントパネルを開くことにより上記係止部材が上記係合部から離脱する、
ことを特徴とする空気調和機の上面パネル脱落防止機構。
【請求項２】
上記回動部材は上記フロントパネルと一体に形成され、上記回動部材の回動支点から回動方向に最も離間した先端側に上記係止部材が設けられていることを特徴とする請求項１記載の空気調和機の上面パネル脱落防止機構。
【発明の詳細な説明】
【０００１】
【発明の属する技術分野】
この発明は、空気調和機の上面パネルのロック構造、より詳しく言えば、空気調和機の筐体の一部を構成する前面グリルの少なくとも上側が着脱可能な上面パネルで覆われた空気調和機の上面パネル脱落防止機構に関する。
【０００２】
【従来の技術】
従来、空気調和機の構造として、その筐体の一部を構成する前面グリルの少なくとも上側を上面パネルで覆うようにしたものは一般に良く知られており、また、かかる上面パネルを前面グリルに対して着脱可能とした構造も公知である（例えば、特許文献１参照）。上面パネルを着脱可能とすることにより、空気調和機設置後における内部点検や清掃作業なども容易となる。
【０００３】
このように、上面パネルを着脱式とする場合には、空気調和機設置後における着脱作業をできるだけ簡易なものとする等のために、前面グリルに対する取付機構は、余り堅固なものではなく、空気調和機設置後の手狭なスペースでも取付／取り外しを容易に行える比較的簡易な取付機構が選ばれる。
尚、空気調和機の前面グリルに上面パネルを取り付ける機構としては、上面パネルの後端側と前面グリルの後端側とをフック機構で係合させておき、上面パネルの前端側を上方に回動させて係合状態を解除することにより、上面パネルを取り外せるようにした上下回動式の取付機構が知られている。
【０００４】
また、上面パネルを前面グリルに対してスライド可能に設けると共に、前面グリル側と上面パネル側に例えば爪状／溝状などの係合部をそれぞれ固定的に設けておき、上面パネルを前面グリルに対しスライドさせて互いの係合部を係合させることにより、取り付けるようにしたスライド式の取付機構も知られており、このような取付機構の一例として、例えば、特許文献２には、上面グリルを化粧枠に対してスライド可能に設けると共に、上面グリルには固定用爪を、化粧枠には固定用溝を形成した構造が開示されている。
【０００５】
【特許文献１】
特開平１１−３５１６０８号公報
【特許文献２】
特開平１１−２３０００号公報
【０００６】
【発明が解決しようとする課題】
ところが、上面パネルを着脱式とした場合には、その取付／取り外しを容易なものとする必要があるが故に、例えば、空気調和機の点検や清掃等のために人が上面パネルに近接した状態で、無意識に手が触れてしまったような場合でも、上面パネルの取付部分が不用意に外れてしまい、前面グリルから脱落してしまうことがあるという難点があった。
特に、スライド式の取付機構の場合には、上面パネルのスライド動作による取付／取り外しが繰り返されると、互いの係合部が摩耗して係合状態がより緩くなり、上面パネルの不用意な脱落が生じ易くなる。
【０００７】
この発明は、上記技術的課題に鑑みてなされたもので、上面パネルを着脱式とした場合でも、当該上面パネルの不用意な脱落を防止することができる空気調和機の上面パネル脱落防止機構を提供することを目的とする。
【０００８】
【課題を解決するための手段】
本願発明者は、かかる目的達成のため、種々考案を重ねた結果、前面グリル及び上面パネルの前面側を開閉可能に覆うフロントパネルを利用することにより、新たな部品等を設けることなく、上面パネルの脱落防止機構を設けることを着想し、本願発明に至ったものである。
【０００９】
本願第１の発明に係る空気調和機の上面パネル脱落防止機構は、空気調和機の筐体の一部を構成する前面グリルと、該前面グリルに取り付けられ前面グリルの少なくとも上側を着脱可能に覆う上面パネルと、該上面パネル及び前面グリルの前面側を開閉可能に覆うフロントパネルとを備えた空気調和機を前提としている。
上記フロントパネルは、回動部材を介して前面グリルに対し開閉可能に取り付けられており、回動部材に係止部材が設けられると共に上面パネルには上記係止部材を係合させ得る係合部が設けられている。そして、上面パネルは、フロントパネルが閉じられた状態では、上記係止部材が上記係合部に係合することによりロックされており、フロントパネルを開くことにより上記係止部材が上記係合部から離脱することを特徴としたものである。
この場合、フロントパネルが開かれない限り、上面パネルが不用意に外れて前面グリルから脱落することはない。
【００１０】
また、本願第２の発明は、上記第１の発明において、上記回動部材は上記フロントパネルと一体に形成され、回動部材の回動支点から回動方向に最も離間した先端側に上記係止部材が設けられていることを特徴としたものである。
この場合には、回動部材およびその回動動作を利用して、比較的簡素な構造で、上面パネルの脱落防止機構が設けられる。
【００１１】
【発明の実施の形態】
以下、本発明の実施の形態を添付図面に基づいて詳細に説明する。
まず、上面パネルがスライド式で前面グリルに対して脱着可能とされた第１の実施の形態について、図１〜図３を参照しながら説明する。
図１は本発明の第１の実施の形態に係る空気調和機の正面説明図、図２は図１のＹ２−Ｙ２線に沿った断面説明図、また、図３は図２の要部Ｙ３を拡大して示す断面説明図で、フロントパネルの前面グリルに対する取付部および上面パネルのロック機構を示している。
【００１２】
これらの図に示すように、上記空気調和機Ｍ１は、空気調和機Ｍ１の筐体の一部を構成する前面グリル１０と、該前面グリル１０に取り付けられ前面グリル１０の少なくとも上側を着脱可能に覆う上面パネル２０と、該上面パネル２０及び上記前面グリル１０の前面側を開閉可能に覆うフロントパネル３０とを備えている。
尚、上記前面グリル１０，上面パネル２０及びフロントパネル３０は何れも、好ましくは、その少なくとも主要部が合成樹脂材料を用いて製作されたものである。
【００１３】
本実施の形態では、上面パネル２０が前面グリル１０に対して、前後方向（図２及び図３における矢印Ａ１の方向）へスライドさせて脱着し得るようにに取り付けられている。この上面パネル２０の前面グリル１０に対するスライド式の脱着機構（つまり取付機構）は、その具体的には図示しなかったが、従来公知のもので、上面パネル２０を前面グリル１０に対してスライド可能に設けると共に、前面グリル１０側と上面パネル２０側に例えば爪状／溝状などの係合部をそれぞれ固定的に設けておき、上面パネル２０を前面グリル１０に対しスライドさせて互いの係合部を係合させることによって取り付けるようにしたものである。
尚、かかるスライド式の取付機構は、例えば前述の特許文献１又は２に開示されたものと同様のものである。
【００１４】
上記フロントパネル３０は、図２及び図３に示されるように、当該フロントパネル３０と共に回動する回動部材としての回動アーム３１を介して、前面グリル１０に対し開閉させることができるように取り付けられている。上記回動アーム３１は、フロントパネル３０の上端側に該フロントパネル３０と一体に形成されている。尚、かかる回動アーム３１は、より好ましくは、互いに対を成すようにして、フロントパネル３０の幅方向における左右両側の上部にそれぞれ設けられている。
【００１５】
前面グリル１０の上部前端側には、回動アーム３１を取り付ける前面開口部１１が形成されており、この前面開口部１１の上側に、回動アーム３１の回動支点部３２を支持する回動支持部１２が形成されている。また、該回動支持部１２の下方には、回動アーム３１の円弧状の溝部３３に嵌合し、回動アーム３１の回動動作を円滑にガイドするガイド部１３が設けられている。
【００１６】
回動アーム３１の回動支点部３２から回動方向に最も離間した端末側には、平坦な回動規制部３４が形成されている。一方、前面グリル１０の上記回動支持部１２の後方には、回動アーム３１の回動規制部３４を受け合うストッパ部１４が形成されており、開状態にあるフロントパネル３０を矢印Ｂ１と反対方向に回動させて閉じる際には、回動アーム３１の回動規制部３４が前面グリル１０のストッパ部１４に当て止められることにより、それ以上の回動動作が規制されるようになっている。
【００１７】
本実施の形態では、上述のように上面パネル２０を前面グリル１０に対して着脱式とした場合でも、例えば、空気調和機Ｍ１の点検や清掃等のために人が上面パネル２０に近接した状態で、無意識に手が触れてしまったような際に、上面パネル２０の取付部分が不用意に外れてしまい、前面グリル１０から脱落してしまうことがないように、上面パネル２０の不用意な脱落を防止する脱落防止機構が設けられている。
【００１８】
すなわち、上記回動アーム３１の回動支点部３２から回動方向に最も離間した先端側に位置する上記回動規制部３４に、該回動規制部３４から突出した係止部材３５が設けられている。尚、この係止部材３５の先端部は、略直角に折り曲げられている。
【００１９】
また、前面グリル１０の上記ストッパ部１４よりも後方（図２及び図３における左方）の上面には、上記係止部材３５を挿通させ得る上面開口部１５が形成されている。この上面開口部１５は、平面視で例えば略長溝状または矩形状に形成され、回動アーム３１の回動動作に伴って上記係止部材３５が回動する際に、その回動動作と干渉することがないように寸法設定されている。
【００２０】
一方、上面パネル２０の前端側には、上記係止部材３５の先端側を係合させ得る係合部２１が設けられている。該係合部２１は、前壁２１ｆと後壁２１ｒとを備え、下方が開口した例えばボックス状に形成されている。
【００２１】
以上の構成において、フロントパネル３０が閉じられた状態では、フロントパネル３０の回動部材３１に設けた上記係止部材３５が、前面グリル１０の上面開口部１５から上面パネル２０の上記係合部２１内に突き出て、該係合部２１に係合している。
この状態では、仮に上面パネル２０が矢印Ａ１方向における脱落方向（つまり、図２及び図３における右斜め下方）へスライドしようとしても、係合部２１の後壁２１ｒが係止部材３５に干渉することにより、そのスライド動作が阻止される。
【００２２】
従って、例えば、空気調和機Ｍ１の点検や清掃等のために人が上面パネル２０に近接した状態で、無意識に手が触れてしまったような場合でも、フロントパネル３０が閉じられ上記係止部材３５が係合部２１に係合している限り、上面パネル２０はロックされることとなり、上面パネル２０が不用意に前面グリル１０から脱落することが確実に防止される。
【００２３】
上面パネル２０を前面グリル１０から取り外す際には、フロントパネル３０を矢印Ｂ１方向（図２及び図３参照）に回動させて開くことにより、回動アーム３１に一体形成された係止部材３５が矢印Ｃ１方向（図３参照）に回動し、該係止部材３５が上面開口部１５を介して上面パネル２０の係合部２１から離脱する。これにより、上面パネル２０のロック状態が解除され、当該上面パネル２０を矢印Ａ１方向に沿ってスライドさせ、前面グリル１０から支障なく取り外すことができる。
【００２４】
以上のように、本実施の形態によれば、例えば点検や清掃等のために、フロントパネル３０を開いた後に上面パネル２０を取り外すという意識的な手順を踏まない限り、上面パネル２０が前面グリル１０から取り外されることはなく、従来のような上面パネルの不用意な脱落を確実に防止することができるのである。
【００２５】
この場合において、新たな部品等を設ける必要なしに、前面グリル１０及び上面パネル２０の前面側を覆うフロントパネル３０の開閉動作を利用して、着脱式の上面パネル２０の脱落防止機構を設けることができる。
特に、フロントパネル３０と一体に形成された回動アーム３１の先端側に係止部材３５を設けたことにより、回動アーム３１およびその回動動作を利用して、比較的簡素な構造で、上面パネル２０の脱落防止機構を設けることができる。
【００２６】
次に、上面パネルが上下回動式で前面グリルに対して脱着可能とされた第２の実施の形態について説明する。尚、以下の説明において、上述の第１の実施の形態における場合と、同様または相当する構成を備え、同様または相当する作用をなすものについえは、同一の符号を付すことにより、それ以上の説明は省略する。
【００２７】
図４は本発明の第２の実施の形態に係る空気調和機の正面説明図、図５は図４のＹ５−Ｙ５線に沿った断面説明図、また、図６は図５の要部Ｙ６を拡大して示す断面説明図で、フロントパネルの前面グリルに対する取付部および上面パネルのロック機構を示している。
【００２８】
これらの図に示すように、本実施の形態に係る空気調和機Ｍ２は、上面パネル２０の脱着方式と上面パネル２０のロック機構とを除いては、上述の第１の実施の形態に係る空気調和機Ｍ１と同じである。
本実施の形態では、上面パネル２０が前面グリル１０に対して、上下方向（図２及び図３における矢印Ａ２の方向）へ回動させて脱着し得るように取り付けられている。この上面パネル５０の前面グリル４０に対する上下回動式の脱着機構（つまり取付機構）は、その具体的には図示しなかったが、従来公知のもので、上面パネル５０の後端側と前面グリル４０の後端側とをフック機構で係合させておき、上面パネル５０の前端側を上方に回動させて係合状態を解除することにより、上面パネル５０を取り外せるようにしたものである。
【００２９】
フロントパネル６０は、図５及び図６に示されるように、第１の実施の形態における場合と同様の回動アーム３１を備えている。但し、回動アーム３１の回動支点部３２から回動方向に最も離間した先端側に位置する回動規制部３４に設けられた係止部材６５の形状が第１の実施の形態とは異なっている。
すなわち、本実施の形態では、回動規制部３４から突出した係止部材６５は、その先端部が略直角に前方（図５及び図６における右方）へ折り曲げられた上で、折り曲げ部の先端に爪部６６が形成されている。
【００３０】
一方、上面パネル５０の前端側には、上記係止部材６５の爪部６６を係合させ得る係合穴５２が形成された係合壁部５１が設けられている。上記係合穴５２は、例えば矩形状の開口として形成されている。
尚、前面グリル４０の上部前端側には、上面パネル５０の取付状態で、上記係合壁部５１の前側に位置してこれを覆う縦壁４６が形成されている。
【００３１】
以上の構成において、フロントパネル６０が閉じられた状態では、フロントパネル６０の回動部材３１に設けた上記係止部材６５が、前面グリル４０の上面開口部１５から上方に突き出て、その爪部６６が上面パネル５０の係合壁部５１に形成された係合穴５２に係合している。
【００３２】
この状態では、仮に上面パネル５０が矢印Ａ２方向における脱落方向（つまり、図５及び図６における上方）へ回動しようとしても、その回動動作が阻止される。つまり、フロントパネル６０が閉じられ上記係止部材６５の爪部６６が上面パネル５０の係合壁部５１の係合穴５２に係合している限り、上面パネル５０はロックされることとなり、上面パネル５０が不用意に前面グリル４０から脱落することが確実に防止される。
【００３３】
上面パネル５０を前面グリル４０から取り外す際には、フロントパネル６０を矢印Ｂ１方向（図５及び図６参照）に回動させて開くことにより、回動アーム３１に一体形成された係止部材６５が矢印Ｃ１方向（図６参照）に回動し、係止部材６５の爪部６６が上記係合穴５２から抜脱され、係合状態から離脱する。そして、係止部材６５が上面開口部１５から抜け出る。これにより、上面パネル５０のロック状態が解除され、当該上面パネル５０を矢印Ａ２方向に沿って上方へ回動させ、前面グリル４０から支障なく取り外すことができるようになっている。
【００３４】
尚、本発明は、以上の実施態様に限定されるものではなく、その要旨を逸脱しない範囲において、種々の改良あるいは設計上の変更が可能であることは言うまでもない。
【００３５】
【発明の効果】
本願の第１の発明に係る空気調和機の上面パネル脱落防止機構によれば、フロントパネルを前面グリルに対し開閉可能に取り付ける回動部材に係止部材が設けられると共に、上面パネルには上記係止部材を係合させ得る係合部が設けられており、上面パネルは、フロントパネルが閉じられた状態ではフロントパネルの係止部材が上面パネルの係合部に係合することによりロックされ、フロントパネルを開くことにより上記係止部材が係合部から離脱するように構成されている。従って、例えば、空気調和機の点検や清掃等のために人が上面パネルに近接した状態で、無意識に手が触れてしまったような場合でも、フロントパネルが開かれない限り、上面パネルの取付部分が不用意に外れて前面グリルから脱落することはない。
すなわち、点検や清掃等のために、フロントパネルを開いた後に上面パネルを取り外すという意識的な手順を踏まない限り、上面パネルが前面グリルから取り外されることはなく、従来のような上面パネルの不用意な脱落を確実に防止することができる。この場合、新たな部品等を設ける必要なしに、前面グリル及び上面パネルの前面側を覆うフロントパネルの開閉動作を利用して、着脱式の上面パネルの脱落防止機構を設けることができる。
【００３６】
また、本願の第２の発明によれば、基本的に、上記第１の発明の作用効果を奏することができる。特に、フロントパネルと一体に形成された回動部材の先端側に上記係止部材を設けたので、上記回動部材およびその回動動作を利用して、比較的簡素な構造で、上面パネルの脱落防止機構を設けることができる。
【図面の簡単な説明】
【図１】本発明の第１の実施の形態に係る空気調和機の正面説明図である。
【図２】図１のＹ２−Ｙ２線に沿った断面説明図である。
【図３】図２の要部Ｙ３を拡大して示す断面説明図である。
【図４】本発明の第２の実施の形態に係る空気調和機の正面説明図である。
【図５】図４のＹ５−Ｙ５線に沿った断面説明図である。
【図６】図５の要部Ｙ６を拡大して示す断面説明図である。
【符号の説明】
１０，４０…前面グリル
２０，５０…上面パネル
２１…係合部
３０，６０…フロントパネル
３１…回動アーム
３２…回動支点部
３５，６５…係止部材
５１…係合壁部
５２…係合穴
６６…爪部
Ｍ１，Ｍ２…空気調和機
【図１】
2004183980.tif 000003
【図２】
2004183980.tif 000004
【図３】
2004183980.tif 000005
【図４】
2004183980.tif 000006
【図５】
2004183980.tif 000007
【図６】
2004183980.tif 000008